(57)【要約】【課題】番組表の視認性を低下させることなく、同一の時間帯に同一の物理チャンネルで放送される複数の放送番組を視聴者に認識させる。【解決手段】番組表生成装置は、情報取得部と、信号生成部と、を備える。情報取得部は、同一の時間帯に同一の物理チャンネルで放送される複数の放送番組の各々の放送予定を含む番組表情報を取得する。信号生成部は、番組表を表示部に表示させる表示信号を生成する。この番組表では、複数の放送番組のうちの１つが代表番組として代表番組表示欄に表示され、該代表番組が経時的に切り替えられる。【選択図】図１
2015226314.tif 000002
【特許請求の範囲】
【請求項１】
同一の時間帯に同一の物理チャンネルで放送される複数の放送番組の各々の放送予定を含む番組表情報を取得する情報取得部と、
前記複数の放送番組のうちの１つが代表番組として代表番組表示欄に表示され、該代表番組が経時的に切り替えられる番組表を表示部に表示させる表示信号を生成する信号生成部と、
を備える番組表生成装置。
【請求項２】
前記情報取得部は、前記複数の放送番組の各々の関連情報を取得し、
前記表示信号はさらに、前記関連情報を前記表示部に表示させる信号である請求項１に記載の番組表生成装置。
【請求項３】
前記表示信号はさらに、前記代表番組の関連情報を強調して表示させる信号である請求項２に記載の番組表生成装置。
【請求項４】
前記信号生成部は、前記番組表情報に基づいて、前記複数の放送番組のうちの少なくとも、前記代表番組以外の全ての放送番組の放送予定を含む副番組表を表示させる副表示信号を生成して外部機器に出力する請求項１〜請求項３のいずれかに記載の番組表生成装置。
【請求項５】
前記情報取得部は、前記複数の放送番組の各々の関連情報を取得し、
前記副表示信号はさらに、少なくとも前記代表番組の関連情報を表示させる信号である請求項４に記載の番組表生成装置。
【請求項６】
同一の時間帯に同一の物理チャンネルで放送される複数の放送番組の各々の放送予定を含む番組表情報を取得する情報取得部と、
前記複数の放送番組のうちの１つが代表番組として代表番組表示欄に表示される第１番組表を表示部に表示させる第１表示信号を生成する信号生成部と、
を備え、
前記信号生成部は、前記番組表情報に基づいて、前記複数の放送番組のうちの少なくとも、前記代表番組以外の全ての放送番組の放送予定を含む第２番組表を表示させる第２表示信号を生成して外部機器に出力する番組表生成装置。
【請求項７】
同一の時間帯に同一の物理チャンネルで放送される複数の放送番組の各々の放送予定を含む番組表情報を取得するステップと、
前記複数の放送番組のうちの１つが代表番組として代表番組表示欄に表示され、該代表番組が経時的に切り替えられる番組表を表示部に表示させる表示信号を生成するステップと、
をコンピュータに実行させる番組表生成プログラム。
【請求項８】
同一の時間帯に同一の物理チャンネルで放送される複数の放送番組の各々の放送予定を含む番組表情報を取得するステップと、
前記複数の放送番組のうちの１つが代表番組として代表番組表示欄に表示される第１番組表を表示部に表示させる第１表示信号を生成するステップと、
前記信号生成部は、前記番組表情報に基づいて、前記複数の放送番組のうちの少なくとも、前記代表番組以外の全ての放送番組の放送予定を含む第２番組表を表示させる第２表示信号を生成して外部機器に出力するステップと、
をコンピュータに実行させる番組表生成プログラム。
【発明の詳細な説明】
【技術分野】
【０００１】
本発明は、番組表にマルチ編成番組の放送予定を表示する番組表生成装置及び番組表生成プログラムに関する。
【背景技術】
【０００２】
地上波デジタル放送を受信するテレビジョン装置では、ＥＰＧ（Electronic Program Guide）機能により放送番組表を画面に表示させることができる。この放送番組表はテレビジョン装置が設置された地域で放送される番組の一覧表であり、複数の放送番組の放送スケジュールが放送局別に時系列で表示される。
【０００３】
ところで、地上波デジタル放送では、同じ時間帯に同じ物理チャンネルで複数の放送番組が放送されるマルチ編成番組が放送されることがある。たとえば特許文献１は、同じ時間帯に同じ物理チャンネルで３つの放送番組が放送される場合を例示している。
【０００４】
従来の放送番組表では、通常、マルチ編成番組の表示欄は、行方向に並ぶ複数の分割表示欄に分割される。そして、マルチ編成番組に含まれる各放送番組が各分割表示欄に表示される。
【先行技術文献】
【特許文献】
【０００５】
【特許文献１】特開２００９−１８８９２３号公報
【発明の概要】
【発明が解決しようとする課題】
【０００６】
しかしながら、行方向に複数の分割表示欄を設けると、マルチ編成番組の代表番組表示欄が行方向に長くなる。そのため、テレビジョン装置の表示画面に表示可能な物理チャンネルの数（すなわち、放送番組表に表示される表示欄の列数）が減少する。従って、視聴者が一目で画面を見て認識できる放送番組の数も少なくなるので、放送番組表の利便性が低下する。
【０００７】
このような問題に対し、特許文献１では、マルチ編成番組の表示欄を分割せず、マルチ編成番組に含まれる複数の放送番組のいずれか１つを表示欄内に表示している。ところが、この表示欄には残りの放送番組が表示されないので、視聴者は、残りの放送番組を一目で視認できない。そのため、視聴者は、表示欄に表示されている放送番組以外の他の放送番組があることを認識できない恐れがある。
【０００８】
本発明は、このような状況を鑑みてなされたものであり、番組表の視認性を低下させることなく、同一の時間帯に同一の物理チャンネルで放送される複数の放送番組を視聴者に認識させることができる番組表生成装置及び番組表生成プログラムを提供することを目的とする。
【課題を解決するための手段】
【０００９】
上記目的を達成するために、本発明の一の態様による番組表生成装置は、同一の時間帯に同一の物理チャンネルで放送される複数の放送番組の各々の放送予定を含む番組表情報を取得する情報取得部と、複数の放送番組のうちの１つが代表番組として代表番組表示欄に表示され、該代表番組が経時的に切り替えられる番組表を表示部に表示させる表示信号を生成する信号生成部と、を備える構成（第１の構成）とされる。
【００１０】
第１の構成によれば、表示信号により表示部に表示される番組表にて、同一の時間帯に同一の物理チャンネルで放送される複数の放送番組のうちの１つが代表番組として代表番組表示欄に表示される。さらに、この代表番組は経時的に切り替えられる。そのため、表示部に表示可能な表示欄の列数又は行数の減少を抑制又は防止することができる。さらに、視聴者は、操作入力することなく、表示部に表示されていない他の放送番組があること、及び、全ての該他の放送番組を容易に認識することができる。従って、番組表の視認性を低下させることなく、同一の時間帯に同一の物理チャンネルで放送される複数の放送番組を視聴者に認識させることができる。
【００１１】
上記第１の構成の番組表生成装置において、情報取得部は、複数の放送番組の各々の関連情報を取得し、表示信号はさらに、関連情報を表示部に表示させる信号である構成（第２の構成）としてもよい。
【００１２】
第２の構成によれば、複数の放送番組の各々の関連情報を番組表とともに表示部に表示させることができる。そのため、番組表を見る視聴者は、複数の放送番組の各々の関連情報も認識することができる。従って、視聴者は、表示部の表示画面から複数の放送番組の各々のより詳細な情報を得ることができる。
【００１３】
さらに、上記第２の構成の番組表生成装置において、表示信号はさらに、代表番組の関連情報を強調して表示させる信号である構成（第３の構成）としてもよい。
【００１４】
第３の構成によれば、強調表示によって、視聴者は、代表番組表示欄に表示中の代表番組に対応する関連情報を容易に認識することができる。
【００１５】
上記第１〜第３のいずれかの構成の番組表生成装置において、信号生成部は、番組表情報に基づいて、複数の放送番組のうちの少なくとも、代表番組以外の全ての放送番組の放送予定を含む副番組表を表示させる副表示信号を生成して外部機器に出力する構成（第４の構成）としてもよい。
【００１６】
第４の構成によれば、副表示信号により外部機器で副番組表を表示することができる。この副番組表では、複数の放送番組のうちの少なくとも、代表番組以外の放送番組が全て表示される。従って、外部機器で副番組表を見た視聴者は、操作入力することなく、表示部に表示されていない他の放送番組があること、及び、全ての該他の放送番組を容易に認識することができる。従って、番組表の視認性を低下させることなく、同一の時間帯に同一の物理チャンネルで放送される複数の放送番組を視聴者に認識させることができる。
【００１７】
さらに、上記第４の構成の番組表生成装置において、情報取得部は、複数の放送番組の各々の関連情報を取得し、副表示信号はさらに、少なくとも代表番組の関連情報を表示させる信号である構成（第５の構成）としてもよい。
【００１８】
第５の構成によれば、少なくとも、代表番組の関連情報を外部機器に表示させることができる。従って、外部機器で副番組表を見た視聴者は少なくとも、表示部に表示されていない他の放送番組があることのほか、代表番組表示欄に表示中の代表番組のより詳細な情報も得ることができる。
【００１９】
或いは、上記目的を達成するために、本発明の一の態様による番組表生成装置は、同一の時間帯に同一の物理チャンネルで放送される複数の放送番組の各々の放送予定を含む番組表情報を取得する情報取得部と、複数の放送番組のうちの１つが代表番組として代表番組表示欄に表示される第１番組表を表示部に表示させる第１表示信号を生成する信号生成部と、を備え、信号生成部は、番組表情報に基づいて、複数の放送番組のうちの少なくとも、代表番組以外の全ての放送番組の放送予定を含む第２番組表を表示させる第２表示信号を生成して外部機器に出力する構成（第６の構成）とされる。
【００２０】
上記第６の構成によれば、第１表示信号により表示部に表示される第１番組表にて、同一の時間帯に同一の物理チャンネルで放送される複数の放送番組のうちの１つが代表番組として代表番組表示欄に表示される。さらに、第２表示信号が出力された外部機器で第２番組表を表示させることができる。この第２番組表では、複数の放送番組のうちの少なくとも、代表番組以外の放送番組が全て表示される。そのため、表示部に表示可能な表示欄の列数又は行数の減少を抑制又は防止することができる。さらに、外部機器で第２番組表を見た視聴者は、操作入力することなく、表示部に表示されていない他の放送番組があること、及び、全ての該他の放送番組を容易に認識することができる。従って、番組表の視認性を低下させることなく、同一の時間帯に同一の物理チャンネルで放送される複数の放送番組を視聴者に認識させることができる。
【００２１】
また、上記目的を達成するために、本発明の一の態様による番組表生成プログラムは、同一の時間帯に同一の物理チャンネルで放送される複数の放送番組の各々の放送予定を含む番組表情報を取得するステップと、複数の放送番組のうちの１つが代表番組として代表番組表示欄に表示され、該代表番組が経時的に切り替えられる番組表を表示部に表示させる表示信号を生成するステップと、をコンピュータに実行させる構成（第７の構成）とされる。
【００２２】
第７の構成によれば、表示信号により表示部に表示される番組表にて、表示信号により表示部に表示される番組表にて、同一の時間帯に同一の物理チャンネルで放送される複数の放送番組のうちの１つが代表番組として代表番組表示欄に表示される。さらに、この代表番組は経時的に切り替えられる。そのため、表示部に表示可能な表示欄の列数又は行数の減少を抑制又は防止することができる。さらに、視聴者は、操作入力することなく、表示部に表示されていない他の放送番組があること、及び、全ての該他の放送番組を容易に認識することができる。従って、番組表の視認性を低下させることなく、同一の時間帯に同一の物理チャンネルで放送される複数の放送番組を視聴者に認識させることができる。
【００２３】
或いは、上記目的を達成するために、本発明の一の態様による番組表生成プログラムは、同一の時間帯に同一の物理チャンネルで放送される複数の放送番組の各々の放送予定を含む番組表情報を取得するステップと、複数の放送番組のうちの１つが代表番組として代表番組表示欄に表示される第１番組表を表示部に表示させる第１表示信号を生成するステップと、信号生成部は、番組表情報に基づいて、複数の放送番組のうちの少なくとも、代表番組以外の全ての放送番組の放送予定を含む第２番組表を表示させる第２表示信号を生成して外部機器に出力するステップと、をコンピュータに実行させる構成（第８の構成）とされる。
【００２４】
第８の構成によれば、第１表示信号により表示部に表示される第１番組表にて、同一の時間帯に同一の物理チャンネルで放送される複数の放送番組のうちの１つが代表番組として代表番組表示欄に表示される。さらに、第２表示信号が出力された外部機器で第２番組表を表示させることができる。この第２番組表では、複数の放送番組のうちの少なくとも、代表番組以外の放送番組が全て表示される。そのため、表示部に表示可能な表示欄の列数又は行数の減少を抑制又は防止することができる。さらに、外部機器で第２番組表を見た視聴者は、操作入力することなく、表示部に表示されていない他の放送番組があること、及び、全ての該他の放送番組を容易に認識することができる。従って、番組表の視認性を低下させることなく、同一の時間帯に同一の物理チャンネルで放送される複数の放送番組を視聴者に認識させることができる。
【発明の効果】
【００２５】
本発明によれば、番組表の視認性を低下させることなく、同一の時間帯に同一の物理チャンネルで放送される複数の放送番組を視聴者に認識させることができる番組表生成装置及び番組表生成プログラムを提供することができる。
【図面の簡単な説明】
【００２６】
【図１】第１実施形態に係る液晶テレビジョンの一例である。
【図２】マルチ編成番組の代表表示欄の表示例である。
【図３】液晶テレビジョンの内部構成の一例を示すブロック図である。
【図４】第１実施形態に係る番組表表示処理の一例を説明するためのフローチャートである。
【図５】第２実施形態に係る番組表表示システムの一例である。
【図６】番組表表示システムの内部構成の一例を示すブロック図である。
【図７】第２実施形態に係る番組表表示処理の一例を説明するためのフローチャートである。
【図８】第３実施形態に係る番組表表示システムの一例である。
【図９】第３実施形態に係る番組表表示処理の一例を説明するためのフローチャートである。
【発明を実施するための形態】
【００２７】
以下に、図面を参照して、本発明の実施形態を説明する。
【００２８】
＜第１実施形態＞
図１は、第１実施形態に係る液晶テレビジョン１の一例である。液晶テレビジョン１は、ＥＰＧ（Electronic Program Guide）番組表情報を取得し、該ＥＰＧ番組表情報に基づいて作成した番組表１００をディスプレイ１４に表示する表示装置である。ＥＰＧ番組表情報は、液晶テレビジョン１が設置された地域で受信可能なデジタル放送番組の放送予定を一覧で表す。番組表１００は、放送局毎（すなわち物理チャンネル毎）のデジタル放送番組を時系列に並んで表示する。たとえば、図１において、番組表１００の左から３列目では、「語学講座Ａ」〜「子供番組Ｄ」が時系列に並んで表示されている。これらの放送番組は、ＰＭ０：００〜ＰＭ４：００の時間帯において物理チャンネル２１が割り当てられた放送局ＮＥ  ＴＶから放送される。
【００２９】
ここで、番組表１００の表示欄Ｍでは、マルチ編成番組に含まれる３つの放送番組Ａ〜Ｃのうちの１つである「メインチャンネル番組Ａ」が代表番組として表示されている。このマルチ編成番組では、同一の時間帯（ＰＭ２：２０〜ＰＭ３：００）に同一の物理チャンネルで同じ放送局から放送されるメインチャンネル番組Ａ及びサブチャンネル番組Ｂ、Ｃが同一の物理チャンネル２１の放送波を用いて放送される。なお、図１では、３つの放送番組Ａ〜Ｃを含むマルチ編成番組を例示しているが、マルチ編成番組に含まれる放送番組の数は複数であればよい。また、以下では、番組表１００における代表番組の表示欄Ｍを代表番組表示欄Ｍと呼ぶ。
【００３０】
代表番組表示欄Ｍに表示される代表番組は、メインチャンネル番組Ａ及びサブチャンネル番組Ｂ、Ｃのうちから順次、経時的に切り替えられる。図２は、マルチ編成番組の代表番組表示欄Ｍの表示例である。図２に示すように、液晶テレビジョン１は、代表番組表示欄Ｍに表示する代表番組を所定時間Ｔ（たとえば３秒）間隔で、メインチャンネル番組Ａ、サブチャンネル番組Ｂ、サブチャンネル番組Ｃの順に繰り返し切り替える。
【００３１】
こうすれば、ディスプレイ１４に表示される番組表１００にて、同一の時間帯に同一の物理チャンネルで放送される３つの放送番組Ａ〜Ｃのうちの１つが代表番組として代表番組表示欄Ｍに表示される。さらに、この代表番組は経時的に切り替えられる。そのため、ディスプレイ１４に表示可能な表示欄の列数又は行数の減少を抑制又は防止することができる。さらに、視聴者は、操作入力することなく、ディスプレイ１４に表示されていない他の放送番組（すなわちサブチャンネル番組Ｂ、Ｃ）があること、及び、全ての該他の放送番組Ｂ、Ｃを容易に認識することができる。従って、番組表１００の視認性を低下させることなく、同一の時間帯に同一の物理チャンネルで放送されるメインチャンネル番組Ａ及びサブチャンネル番組Ｂ、Ｃを視聴者に認識させることができる。なお、以下では、視聴者をユーザと呼ぶ。
【００３２】
また、番組表１００には、ユーザが液晶テレビジョン１に放映させる放送番組を選択するためのカーソル枠Ｆが表示されている。このカーソル枠Ｆは、たとえばリモートコントローラＲＣ又は操作入力部１８（後述の図３参照）などを用いたユーザの操作入力により、番組表１００の各表示欄に合せて移動可能である。ユーザが所望の放送番組の表示欄までカーソル枠Ｆを移動させ、特定の操作入力（たとえばリモートコントローラＲＣの決定キーの押下）をすると、カーソル枠Ｆで囲まれた表示欄の放送番組を液晶テレビジョン１に放映させることができる。
【００３３】
また、図１に示すように、ディスプレイ１４には、番組表１００とともに、メインチャンネル番組Ａ及びサブチャンネル番組Ｂ、Ｃの各々の関連情報２００が順に表示されている。これらの関連情報２００は、たとえば、メインチャンネル番組Ａ及びサブチャンネル番組Ｂ、Ｃに係る動画（番組予告、ダイジェストなど）、内容説明、関連するコンテンツ又はイベントの案内などである。番組表１００を見るユーザは、メインチャンネル番組Ａ及びサブチャンネル番組Ｂ、Ｃの各々の関連情報２００も認識することができる。従って、ユーザは、ディスプレイ１４の表示画面からメインチャンネル番組Ａ及びサブチャンネル番組Ｂ、Ｃの各々のより詳細な情報を得ることができる。
【００３４】
また、代表番組表示欄Ｍ、及び、該代表番組表示欄Ｍに表示される代表番組に対応する関連情報２００は強調して表示される。たとえば、図１のようにメインチャンネル番組Ａが代表番組である場合、メインチャンネル番組Ａの関連情報２００は他の放送番組Ｂ、Ｃの関連情報よりも強調されて表示される。この強調表示によって、ユーザは、代表番組表示欄Ｍに表示中の代表番組に対応する関連情報２００を容易に認識することができる。
【００３５】
なお、強調して表示される関連情報２００は、代表番組表示欄Ｍに表示される代表番組の切り替えに同期して切り替えられる。たとえば、代表番組表示欄Ｍの表示がメインチャンネル番組Ａからサブチャンネル番組Ｂに切り替えられると、メインチャンネル番組Ａの関連情報２００は強調表示されず、サブチャンネル番組Ｂの関連情報２００が強調表示される。こうすれば、ユーザは、代表番組が切り替わっても、該代表番組に対応する関連情報２００を迅速且つ容易に認識することができる。
【００３６】
また、図１では強調表示枠を用いて関連情報２００を強調しているが、この強調表示の形式は特に限定しない。たとえば、強調表示は、動画を除く関連情報２００の表示領域の背景の反転表示、代表番組表示欄Ｍと同じ色又は模様パターンでの表示などであってもよい。
【００３７】
また、ＥＰＧ番組表情報に複数のマルチ編成番組が含まれている場合、ディスプレイ１４には、全てのマルチ編成番組に含まれる放送番組の各々の関連情報２００が表示されてもよい。或いは、特定のマルチ編成番組に含まれる放送番組の各々の関連情報２００が表示されてもよい。たとえば、カーソル枠Ｆで囲まれている表示欄に対応するマルチ編成番組に含まれる複数の放送番組の各々の関連情報２００が表示されてもよい。さらに、マルチ編成番組の表示欄（たとえば代表番組表示欄Ｍ）以外の表示欄がカーソル枠Ｆで囲まれている場合には関連情報２００が表示されなくてもよい。こうすれば、関連情報２００が表示される場合と比較して、番組表１００の表示領域が拡大するため、番組表１００の視認性が向上する。
【００３８】
次に、液晶テレビジョン１の具体的な構成を説明する。図３は、液晶テレビジョン１の内部構成の一例を示すブロック図である。図３に示すように、液晶テレビジョン１は、放送受信部１１と、信号処理部１２と、ＯＳＤ処理部１３と、ディスプレイ１４（第１表示部）と、ＨＤＭＩ通信部１５と、ネットワークＩ／Ｆ１６と、スピーカ１７と、操作入力部１８と、リモコン受信部１９と、記憶部２１と、ＣＰＵ２２と、を備えている。
【００３９】
放送受信部１１は、外部のアンテナ１１ａからデジタル放送信号を受信し、ＴＳ（Transport Stream）を生成する。信号処理部１２は、生成されたＴＳに対して各種処理を行い、映像・音声のデジタル信号を生成する。生成された映像のデジタル信号はディスプレイ１４に送られ、ディスプレイ１４に放送映像が表示される。また、生成された音声のデジタル信号はスピーカ１７に送られ、スピーカ１７から放送音声が出力される。信号処理部１２により生成された映像信号は、ＯＳＤ処理部１３によりＯＳＤ画像が重畳され、重畳後の映像信号がディスプレイ１４に送られる場合もある。また、重畳を行わずに、ＯＳＤ処理部１３からＯＳＤ画像がディスプレイ１４に送られる場合もある。また、ディスプレイ１４は、ＣＰＵ２２から出力される制御信号及び映像信号などに基づく表示を行う第１表示部としても機能する。
【００４０】
ＨＤＭＩ通信部１５は、ＨＤＭＩケーブルを介して接続される外部機器（不図示）とＨＤＭＩ規格に準じた通信を行う。ＨＤＭＩ（登録商標）では、一本のケーブルで映像、音声、及び制御信号の送受信を行うことができる。制御信号のやり取りについては、ＨＤＭＩにおいてＣＥＣ（Consumer Electronics Control）として定義されている。
【００４１】
ネットワークＩ／Ｆ１６は、液晶テレビジョン１をインターネットなどのネットワークＮＴに接続させるための物理インターフェースである。ネットワークＩ／Ｆ１６は、例えば有線ＬＡＮ、無線ＬＡＮなどに接続可能となっている。
【００４２】
スピーカ１７は、音声信号に基づく音声出力を行う音声出力部である。
【００４３】
操作入力部１８は、液晶テレビジョン１に対するユーザの操作入力を受け付け、該操作入力に基づく操作入力信号をＣＰＵ２２に出力する。操作入力部１８は、たとえば液晶テレビジョン１の筐体に備えられる各種操作キー（不図示）などを含んで構成される。
【００４４】
リモコン受信部１９は、リモートコントローラＲＣから出力される光信号を受信し、該光信号に基づく入力信号をＣＰＵ２２に出力する。なお、リモートコントローラＲＣは、ユーザの操作入力を受け付ける外部入力ユニットである。
【００４５】
記憶部２１は、ＲＡＭ２１１と、フラッシュメモリ２１２と、を含んで構成される。ＲＡＭ２１１は、揮発性の記憶媒体であり、たとえばＣＰＵ２２のワークメモリとして用いられ、ＣＰＵ２２によって各種情報処理が行われる際の処理データが一時的に記憶される。フラッシュメモリ２１２は、電源が供給されていなくてもデータが非一時的に記憶される不揮発性の記憶媒体である。フラッシュメモリ２１２は、液晶テレビジョン１の各構成要素（特にＣＰＵ２２）で用いられる各種情報及びプログラムなどを格納する。
【００４６】
ＣＰＵ２２は、フラッシュメモリ２１２に格納されている情報及びプログラムなどを用いて、液晶テレビジョン１の各構成要素を統括的に制御する制御部である。ＣＰＵ２２は、機能的要素として、情報取得部２２１と、番組検出部２２２と、信号生成部２２３と、表示制御部２２４と、を有する。
【００４７】
情報取得部２２１は、ＥＰＧ番組表情報、及び放送番組に関連する情報などを取得する。たとえば、情報取得部２２１は、同一の時間帯に同一の物理チャンネルで放送されるメインチャンネル番組Ａ及びサブチャンネル番組Ｂ、Ｃの各々の放送予定を含むＥＰＧ番組表情報を取得する。また、情報取得部２２１は、メインチャンネル番組Ａ及びサブチャンネル番組Ｂ、Ｃの各々の関連情報２００を取得する。これらの情報は、たとえば、アンテナ１１ａから受信するデジタル放送波、インターネットなどのネットワークＮＴ、及びＨＤＭＩ通信部１５に接続された外部機器などから取得される。
【００４８】
番組検出部２２２は、ＥＰＧ番組表情報に含まれるマルチ編成番組を検出する。たとえば、番組検出部２２２は、同一の時間帯に同一の物理チャンネルで放送される複数の放送番組（すなわちマルチ編成番組）がＥＰＧ番組表情報に含まれるか否かを判定する。さらに、番組検出部２２２は、マルチ編成番組が含まれていると判定する場合、該マルチ編成番組、及びその表示欄などを検出する。
【００４９】
信号生成部２２３は、ＥＰＧ番組表情報及び番組検出部２２２の検出結果に基づく番組表１００を作成し、該番組表１００を含む表示信号を作成する。たとえば、信号生成部２２３は、同一の時間帯に同一の物理チャンネルで放送される３つの放送番組Ａ〜Ｃの１つが代表番組として代表番組表示欄Ｍに表示される番組表１００を作成する。この番組表１００では、たとえば図１の場合、メインチャンネル番組Ａが代表番組として代表番組表示欄Ｍに表示され、さらに、該代表番組が図２のように経時的に順次切り替えられる。そして、信号生成部２２３は、番組表１００及び関連情報２００をディスプレイ１４に表示させ、メインチャンネル番組Ａ（代表番組）の関連情報を強調して表示させる表示信号を生成する。
【００５０】
表示制御部２２４は、ディスプレイ１４の表示機能を制御する。たとえば、表示制御部２２４は、信号生成部２２３が生成する表示信号を用いて、番組表１００をディスプレイ１４に表示させる。また、表示制御部２２４は、ＥＰＧ番組表情報にマルチ編成番組が含まれる場合、メインチャンネル番組Ａ及びサブチャンネル番組Ｂ、Ｃの関連情報２００を番組表１００とともにディスプレイ１４に表示させる。
【００５１】
次に、液晶テレビジョン１における番組表１００及び関連情報２００の表示処理の手順を説明する。図４は、第１実施形態に係る番組表表示処理の一例を説明するためのフローチャートである。
【００５２】
まず、情報取得部２２１がＥＰＧ番組表情報を取得する（ステップＳ１０１）。番組検出部２２２は、ＥＰＧ番組表情報に含まれるマルチ編成番組を検出する（ステップＳ１０２）。マルチ編成番組が検出されなければ（ステップＳ１０２でＮＯ）、信号生成部２２３は、ＥＰＧ番組表情報の通りに番組表１００を作成し、該番組表１００を含む表示信号を生成して出力する（ステップＳ１０３）。そして、表示制御部２２４は表示信号を用いて該番組表１００をディスプレイ１４に表示させ（ステップＳ１０４）、図４の処理が終了する。
【００５３】
一方、マルチ編成番組が検出されると（ステップＳ１０２でＹＥＳ）、情報取得部２２１は該マルチ編成番組に含まれるメインチャンネル番組Ａ及びサブチャンネル番組Ｂ、Ｃの各々の関連情報２００を取得する（ステップＳ１０５）。信号生成部２２３は、番組表１００を作成し、該番組表１００及び関連情報２００を含む表示信号を生成して出力する（ステップＳ１０６）。この番組表１００では、メインチャンネル番組Ａ及びサブチャンネル番組Ｂ、Ｃのうちの１つが代表番組として代表番組表示欄Ｍに表示され、さらに、該代表番組が経時的に切り替えられる。そして、表示制御部２２４は表示信号を用いて番組表１００及び関連情報２００をディスプレイ１４に表示させ（ステップＳ１０７）、図４の処理が終了する。
【００５４】
＜第２実施形態＞
次に、第２実施形態について説明する。第２実施形態では、同一の時間帯に同一の物理チャンネルで放送される複数の放送番組Ａ〜Ｃのうちの所定の１つが、代表番組として、主番組表１０１（第１番組表）の代表番組表示欄Ｍに表示される。さらに、代表番組以外の全ての放送番組の放送予定を含む副番組表１０２（第２番組表）が、液晶テレビジョン１と無線通信するスマートフォン３に表示される。これら以外は、第１実施形態と同様である。以下では、第１実施形態と異なる構成について説明する。また、第１実施形態と同様の構成部には同じ符号を付し、その説明を省略することがある。
【００５５】
図５は、第２実施形態に係る番組表表示システムの一例である。この番組表表示システムは、液晶テレビジョン１と、スマートフォン３と、を含んで構成される。スマートフォン３は、液晶テレビジョン１とｂｌｕｅｔｏｏｔｈ（登録商標）の規格に従う無線通信を行う外部機器である。そのため、スマートフォン３を用いて液晶テレビジョン１を操作したり、スマートフォン３が有する情報を液晶テレビジョン１に送信したりできる。さらに、液晶テレビジョン１が有する情報をスマートフォン３に送信することもできる。
【００５６】
図５の番組表表示システムにおいて、液晶テレビジョン１は、代表番組表示欄Ｍを含む主番組表１０１とメインチャンネル番組Ａ及びサブチャンネル番組Ｂ、Ｃの関連情報２００とを表示している。この主番組表１０１では、メインチャンネル番組Ａが代表番組として代表番組表示欄Ｍに表示されている。
【００５７】
また、スマートフォン３は、特定のアプリケーションソフトウェアを用いて、ディスプレイ１４に表示されないサブチャンネル番組Ｂ、Ｃを含む副番組表１０２をＬＣＤ３１１（Liquid Crystal Display）に表示することができる。なお、以下では、アプリケーションソフトウェアをアプリと呼ぶ。たとえば、ユーザは、リモコンアプリを用いて、操作入力によりスマートフォン３に表示された放送番組の表示欄を選択すると、その放送番組を液晶テレビジョン１で放映させることができる。
【００５８】
こうすれば、液晶テレビジョン１のディスプレイ１４に表示される主番組表１０１にて、同一の時間帯に同一の物理チャンネルで放送される３つの放送番組Ａ〜Ｃのうちの１つが代表番組として主番組表１０１の代表番組表示欄Ｍに表示される。すなわち、メインチャンネル番組Ａが代表番組表示欄Ｍに表示される。さらに、スマートフォン３のＬＣＤ３１１で副番組表１０２を表示させることができる。この副番組表１０２では、３つの放送番組Ａ〜Ｃのうちの少なくとも、代表番組以外の放送番組Ｂ、Ｃが全て表示される。そのため、ディスプレイ１４の主番組表１０１に表示可能な表示欄の列数又は行数の減少を抑制又は防止することができる。さらに、スマートフォン３で副番組表１０２を見たユーザは、操作入力することなく、ディスプレイ１４に表示されていない他の放送番組Ｂ、Ｃがあること、及び、全ての該他の放送番組Ｂ、Ｃを容易に認識することができる。従って、番組表の視認性を低下させることなく、同一の時間帯に同一の物理チャンネルで放送される３つの放送番組Ａ〜Ｃを視聴者に認識させることができる。
【００５９】
次に、第２実施形態に係る番組表表示システムの液晶テレビジョン１及びスマートフォン３の具体的な構成を説明する。図６は、番組表表示システムの内部構成の一例を示すブロック図である。
【００６０】
図６に示すように、液晶テレビジョン１は無線通信部２０をさらに備えている。無線通信部２０は、たとえばスマートフォン３などの外部機器とＢｌｕｅｔｏｏｔｈ規格に従う無線通信を行う。なお、この無線通信は、Ｗｉ−Ｆｉ（登録商標）、無線ＬＡＮ（Local Area Network）などの規格に従ってもよい。
【００６１】
信号生成部２２３は、ＥＰＧ番組表情報及び番組検出部２２２の検出結果に基づいて、ディスプレイ１４に表示する主番組表１０１を作成し、主番組表１０１及び関連情報２００を含む主表示信号（第１表示信号）を生成する。また、信号生成部２２３は、ＬＣＤ３１１に表示させる副番組表１０２を含む副表示信号（第２表示信号）を生成し、ＬＣＤ３１１を有するスマートフォン３に該副表示信号を出力する。この副番組表１０２は、少なくとも、代表番組表示欄Ｍに表示されている代表のメインチャンネル番組Ａ以外の全てのサブチャンネル番組Ｂ、Ｃの放送予定を含んでいる。
【００６２】
次に、スマートフォン３について説明する。図６に示すように、スマートフォン３は、タッチパネル３１と、ネットワークＩ／Ｆ３２と、スピーカ３３と、無線通信部３４と、記憶部３５と、ＣＰＵ３６と、を備えている。このほか、スマートフォン３は、物理的な操作入力インターフェースをさらに備えていてもよい。
【００６３】
タッチパネル３１は、ユーザが指又はタッチペンなどで表示画面に触れることにより、タッチ入力を行うことができる表示入力部である。このタッチパネル３１は、ＬＣＤ３１１と、入力検知部３１２と、を含んで構成されている。ＬＣＤ３１１は、ＣＰＵ３６から出力される制御信号及び映像信号などに基づく表示を行う第２表示部である。入力検知部３１２は、ＬＣＤ３１１の表示画面に触れた物体の挙動に基づくユーザの操作入力を検知する入力インターフェースである。
【００６４】
ネットワークＩ／Ｆ３２は、スマートフォン３をインターネットなどのネットワークＮＴに接続する物理インターフェースである。ネットワークＩ／Ｆ３２は、例えば有線ＬＡＮ、無線ＬＡＮなどに接続可能となっている。
【００６５】
スピーカ３３は、音声信号に基づく音声出力を行う音声出力部である。
【００６６】
無線通信部３４は、たとえば液晶テレビジョン１などの電子機器とＢｌｕｅｔｏｏｔｈの規格に従う無線通信を行う。
【００６７】
記憶部３５は、ＲＡＭ（Random Access Memory）３５１と、フラッシュメモリ３５２と、を含んで構成される。ＲＡＭ３５１は、揮発性の記憶媒体であり、たとえばＣＰＵ３６のワークメモリとして用いられ、ＣＰＵ３６によって各種情報処理が行われる際の処理データが一時的に記憶される。フラッシュメモリ３５２は、電源が供給されていなくてもデータが非一時的に記憶される不揮発性の記憶媒体である。フラッシュメモリ３５２は、スマートフォン３の各構成要素（特にＣＰＵ３６）で用いられる各種情報及びプログラム、リモコンアプリなどを含む各種アプリケーションプログラム及びその関連データなどを格納する。
【００６８】
ＣＰＵ３６は、フラッシュメモリ３５１に格納されている情報及びプログラムを用いて、スマートフォン３の各構成要素を統括的に制御する制御部である。
【００６９】
次に、液晶テレビジョン１における番組表表示処理の手順を説明する。図７は、第２実施形態に係る番組表表示処理の一例を説明するためのフローチャートである。
【００７０】
まず、ＥＰＧ番組表情報が取得され（ステップＳ２０１）、ＥＰＧ番組表情報に含まれるマルチ編成番組が検出される（ステップＳ２０２）。マルチ編成番組が検出されなければ（ステップＳ２０２でＮＯ）、ＥＰＧ番組表情報の通りに主番組表１０１が作成される（ステップＳ２０３）。該主番組表１０１はディスプレイ１４に表示され（ステップＳ２０４）、図７の処理が終了する。
【００７１】
一方、マルチ編成番組が検出されると（ステップＳ２０２でＹＥＳ）、メインチャンネル番組Ａ及びサブチャンネル番組Ｂ、Ｃの各々の関連情報２００が取得される（ステップＳ２０５）。信号生成部２２３は、主番組表１０１を作成し、該主番組表１０１及び関連情報２００を含む表示信号を生成して出力する（ステップＳ２０６）。この主番組表１０１では、メインチャンネル番組Ａ及びサブチャンネル番組Ｂ、Ｃのうちの１つが代表番組として代表番組表示欄Ｍに表示される。なお、代表番組は、予め設定された放送番組（図５ではメインチャンネル番組Ａ）であってもよいし、番組表表示システムにて所定の方法で又は任意に選択されてもよい。そして、表示制御部２２４は、表示信号を用いて主番組表１０１及び関連情報２００をディスプレイ１４に表示させる（ステップＳ２０７）。
【００７２】
次に、信号生成部２２３は、代表番組以外の残りの全ての放送番組（すなわちサブチャンネル番組Ｂ、Ｃ）を含む副番組表１０２を作成する（ステップＳ２０８）。さらに、信号生成部２２３は、該副番組表１０２を含む副表示信号を生成して、該副表示信号をスマートフォン３に出力する（ステップＳ２０９）。副表示信号を受信したスマートフォン３では副番組表１０２がＬＣＤ３１１に表示され、図７の処理が終了する。
【００７３】
なお、ステップＳ２０７で生成される副番組表１０２は、代表番組表示欄Ｍに表示されている代表番組を含んでいてもよい。すなわち、副番組表１０２はメインチャンネル番組Ａ及びサブチャンネル番組Ｂ、Ｃを全て含んでいてもよい。このようにしても、主番組表１０１の視認性を低下させることなく、同一の時間帯に同一の物理チャンネルで放送される全ての放送番組Ａ〜Ｃをユーザに認識させることができる。
【００７４】
また、上述の番組表表示処理では、代表番組は切り替えられていないが、本発明はこの例示に限定されない。第１実施形態と同様に、代表番組は経時的に切り替えられてもよい。たとえば図２のように、代表番組が所定時間Ｔ（たとえば３秒）間隔で、メインチャンネル番組Ａ、サブチャンネル番組Ｂ、サブチャンネル番組Ｃの順に繰り返し切り替えられてもよい。この場合、メインチャンネル番組Ａ及びサブチャンネル番組Ｂ、Ｃのうちの１つが所定時間Ｔ（たとえば３秒）間隔で順に切り替えられてもよい。さらに、代表番組の切り替えに同期して、副番組表１０２に含まれる残りの放送番組も切り替えられてもよい。たとえば、代表番組表示欄Ｍの表示がメインチャンネル番組Ａからサブチャンネル番組Ｂに切り替えられると、副番組表１０２はメインチャンネル番組Ａ及びサブチャンネル番組Ｃを含むように作成される。
【００７５】
＜第３実施形態＞
次に、第３実施形態について説明する。第３実施形態では、スマートフォン３は、同一の時間帯に同一の物理チャンネルで放送される全ての放送番組Ａ〜Ｃの放送予定を示す副番組表１０２を表示する。さらに、スマートフォン３は、少なくとも、代表番組表示欄Ｍに表示されている代表番組の関連情報２０１を表示する。これら以外は、第２実施形態と同様である。以下では、第１及び第２実施形態と異なる構成について説明する。また、第１及び第２実施形態と同様の構成部には同じ符号を付し、その説明を省略することがある。
【００７６】
図８は、第３実施形態に係る番組表表示システムの一例である。液晶テレビジョン１に表示される主番組表１０１では、メインチャンネル番組Ａが代表番組として代表番組表示欄Ｍに表示される。また、液晶テレビジョン１は、副番組表１０２と、代表番組の関連情報を含む副表示信号とをスマートフォン３に出力する。該副表示信号を受信したスマートフォン３は、特定のアプリを用いて、メインチャンネル番組Ａ及びサブチャンネル番組Ｂ、Ｃを全て含む副番組表１０２と、メインチャンネル番組Ａの関連情報２０１とをＬＣＤ３１１に表示する。
【００７７】
こうすれば、ディスプレイ１４にて代表番組表示欄Ｍに表示されているメインチャンネル番組Ａの関連情報２０１を副番組表１０２とともにＬＣＤ３１１に表示させることができる。従って、ＬＣＤ３１１を見たユーザは、代表番組表示欄Ｍに表示されていないサブチャンネル番組Ｂ、Ｃがあることのほか、代表番組表示欄Ｍに表示中のメインチャンネル番組Ａのより詳細な情報も得ることができる。
【００７８】
次に、液晶テレビジョン１における番組表表示処理の手順を説明する。図９は、第３実施形態に係る番組表表示処理の一例を説明するためのフローチャートである。なお、図９では、第２実施形態の番組表表示処理と同じ処理には同じステップ番号を付している。
【００７９】
まず、ＥＰＧ番組表情報が取得され（ステップＳ２０１）、ＥＰＧ番組表情報に含まれるマルチ編成番組が検出される（ステップＳ２０２）。マルチ編成番組が検出されなければ（ステップＳ２０２でＮＯ）、ＥＰＧ番組表情報の通りに主番組表１０１が作成される（ステップＳ２０３）。該主番組表１０１はディスプレイ１４に表示され（ステップＳ２０４）、図９の処理が終了する。
【００８０】
一方、マルチ編成番組が検出されると（ステップＳ２０２でＹＥＳ）、メインチャンネル番組Ａ及びサブチャンネル番組Ｂ、Ｃの各々の関連情報２００が取得され（ステップＳ２０５）、主番組表１０１が作成され、該主番組表１０１及び関連情報２００を含む表示信号が生成されて出力される（ステップＳ２０６）。そして、主番組表１０１及び関連情報２００がディスプレイ１４に表示される（ステップＳ２０７）。
【００８１】
次に、信号生成部２２３は、メインチャンネル番組Ａ及びサブチャンネル番組Ｂ、Ｃを全て含む副番組表１０２を作成する（ステップＳ３０８）。さらに、信号生成部２２３は、該副番組表１０２、及びメインチャンネル番組Ａの関連情報２０１を含む副表示信号を作成して、該副表示信号をスマートフォン３に出力する（ステップＳ３０９）。副表示信号を受信したスマートフォン３では副番組表１０２及び関連情報２０１がＬＣＤ３１１に表示され、図９の処理が終了する。
【００８２】
なお、ステップＳ３０９で生成される副表示信号は、少なくとも、副番組表１０２と、代表番組表示欄Ｍに表示されている代表番組の関連情報２０１とを含んでいればよい。言い換えると、副表示信号は、メインチャンネル番組Ａ以外に、サブチャンネル番組Ｂ、Ｃの各関連情報２００を含んでいてもよい。こうすれば、ユーザは、代表番組表示欄Ｍに表示されていないサブチャンネル番組Ｂ、Ｃのより詳細な情報をスマートフォン３からも得ることができる。
【００８３】
また、上述の番組表表示処理では、代表番組は切り替えられていないが、本発明はこの例示に限定されない。第１実施形態と同様に、代表番組は経時的に切り替えられてもよい。たとえば図２のように、代表番組が所定時間Ｔ（たとえば３秒）間隔で、メインチャンネル番組Ａ、サブチャンネル番組Ｂ、サブチャンネル番組Ｃの順に繰り返し切り替えられてもよい。この場合、メインチャンネル番組Ａ及びサブチャンネル番組Ｂ、Ｃのうちの１つが所定時間Ｔ（たとえば３秒）間隔で順に切り替えられてもよい。さらに、代表番組の切り替えに同期して、副番組表１０２に含まれる残りの放送番組も切り替えられてもよい。たとえば、代表番組表示欄Ｍの表示がメインチャンネル番組Ａからサブチャンネル番組Ｂに切り替えられると、副番組表１０２はメインチャンネル番組Ａ及びサブチャンネル番組Ｃを含むように作成される。
【００８４】
以上、本発明の実施形態について説明した。なお、上述の実施形態は例示であり、その各構成要素や各処理の組み合わせに色々な変形が可能であり、本発明の範囲にあることは当業者に理解されるところである。
【００８５】
たとえば、上述の第１〜第３実施形態において、ＣＰＵ２２の機能的要素の少なくとも一部は、物理的な構成要素（たとえば電気回路、素子、装置など）で実現されていてもよい。
【００８６】
また、上述の第１〜第３実施形態では、液晶テレビジョン１が番組表を生成しているが、本発明の適用範囲はこの例示に限定されない。たとえば、本発明は、ＢＤ（Blu-ray Disc:登録商標）レコーダなどの光ディスク装置、セットトップボックスなどの電子機器にも適用可能であり、ＰＣ、携帯電話機、スマートフォンなどの情報端末装置にも適用可能である。
【００８７】
また、上述の第２及び第３実施形態では、液晶テレビジョン１が情報取得部２２１、番組検出部２２２、及び信号生成部２２３を備えているが、本発明の適用範囲はこの例示に限定されない。スマートフォン３がこれらの要素２２１〜２２３を備えていてもよい。その場合、スマートフォン３は、液晶テレビジョン１又はネットワークＩ／Ｆ３２からＥＰＧ番組表情報及び関連情報２００を取得し、該ＥＰＧ番組表情報に基づいて主番組表１０１及び副番組表１０２を作成する。また、スマートフォン３は、主番組表１０１及び関連情報２００を含む主表示信号と、副番組表１０２（及び関連情報２０１）を含む副表示信号とを生成する。そして、スマートフォン３は、主表示信号を液晶テレビジョン１に出力し、副表示信号を用いて副番組表１０２及び関連情報２０１（たとえば代表番組表示欄Ｍに表示されるサブチャンネル番組の関連情報）をＬＣＤ３１１に表示させる。このように構成しても、第２又は第３実施形態と同様の効果を得ることができる。
【符号の説明】
【００８８】
１  液晶テレビジョン
１１  放送受信部
１１ａ  アンテナ
１２  信号処理部
１３  ＯＳＤ処理部
１４  ディスプレイ
１５  ＨＤＭＩ通信部
１６  ネットワークＩ／Ｆ
１７  スピーカ
１８  操作入力部
１９  リモコン受信部
２０  無線通信部
２１  記憶部
２１１  ＲＡＭ
２１２  フラッシュメモリ
２２  ＣＰＵ
２２１  情報取得部
２２２  番組検出部
２２３  信号生成部
２２４  表示制御部
３  スマートフォン
３１  タッチパネル
３１１  ＬＣＤ
３１２  入力検知部
３２  ネットワークＩ／Ｆ
３３  スピーカ
３４  無線通信部
３５  記憶部
３５１  ＲＡＭ
３５２  フラッシュメモリ
３６  ＣＰＵ
１００  番組表
１０１  主番組表
１０２  副番組表
２００、２０１  関連情報
ＲＣ  リモートコントローラ
ＮＴ  ネットワーク
【図２】
2015226314.tif 000003
【図３】
2015226314.tif 000004
【図４】
2015226314.tif 000005
【図６】
2015226314.tif 000006
【図７】
2015226314.tif 000007
【図９】
2015226314.tif 000008
【図１】
2015226314.tif 000009
【図５】
2015226314.tif 000010
【図８】
2015226314.tif 000011